(57)【要約】【課題】封止剤の侵入を抑制し、高い信頼性を有するジャックを提供する。【解決手段】相手方のプラグと接触される少なくとも１つのコンタクト９０、１０６、１２４と、コンタクト９０、１０６、１２４が収容され、プラグが挿入される挿入口１６が形成されたハウジング１２と、を有するジャック１０であって、コンタクト９０、１０６、１２４は、ハウジング１２内に挿入されるインナーハウジング４２に装着されており、ハウジング１２には、インナーハウジング４２が挿入される開口２０が挿入口１６とは反対側に形成されており、コンタクト９０、１０６、１２４が装着されたインナーハウジング４２がハウジングの開口２０から挿入され、且つ、少なくとも開口２０が封止剤３６で封止されている。【選択図】図８
2017045666.tif 000002
【特許請求の範囲】
【請求項１】
相手方のプラグと接触される少なくとも１つのコンタクトと、前記コンタクトが収容され、前記プラグが挿入される挿入口が形成されたハウジングと、を有するジャックであって、
前記コンタクトは、前記ハウジング内に挿入されるインナーハウジングに装着されており、
前記ハウジングには、前記インナーハウジングが挿入される開口が前記挿入口とは反対側に形成されており、
前記コンタクトが装着された前記インナーハウジングが前記ハウジングの前記開口から挿入され、且つ、少なくとも前記開口が封止剤で封止されていることを特徴とするジャック。
【請求項２】
相手方プラグと接触される複数のコンタクトと、前記コンタクトが収容され、前記プラグが挿入される挿入口を有するハウジングと、を有するジャックであって、
前記コンタクトは、前記ハウジング内に挿入される複数のインナーハウジングにそれぞれ装着されており、
前記ハウジングには、前記複数のインナーハウジングが挿入される複数の開口が前記挿入口とは反対側にそれぞれ形成されており、
前記コンタクトが装着された複数の前記インナーハウジングが前記ハウジングの複数の前記開口から挿入され、且つ、少なくとも複数の前記開口が封止剤で封止されていることを特徴とするジャック。
【請求項３】
前記インナーハウジングには、前記コンタクトが取り付けられる取付溝部が形成されていることを特徴とする請求項１又は２に記載のジャック。
【請求項４】
前記インナーハウジングは、前記コンタクトが装着された場合、前記プラグと接する接点部と、前記接点部と反対側の接続部が前記取付溝部から突出されるように形成されていることを特徴とする請求項１〜３のいずれかに記載のジャック。
【請求項５】
前記取付溝部の前記封止剤で封止される側は、前記コンタクトが圧入される幅で形成された圧入部が形成されていることを特徴とする請求項３又は４に記載のジャック。
【請求項６】
前記取付溝部には、幅が広く形成された部分、又は、隣り合う前記取付溝部が繋がれた部分からなる逃がし穴が形成されていることを特徴とする請求項３〜５のいずれかに記載のジャック。
【請求項７】
前記ハウジングには、前記インナーハウジングが収容される収容空間を有し、
前記収容空間と前記プラグが挿入される空間とが連通されていることを特徴とする請求項１〜６のいずれかに記載のジャック。
【請求項８】
前記収容空間は、前記開口から挿入された前記インナーハウジングが摺動される大きさで形成されていることを特徴とする請求項７に記載のジャック。
【請求項９】
前記コンタクトは、少なくとも前記プラグと接する部分が、打ち抜き加工で形成されていることを特徴とする請求項１〜８のいずれかに記載のジャック。
【発明の詳細な説明】
【技術分野】
【０００１】
本発明は、防水機能を有するジャックに関し、詳しくは、コンタクトを装着させたインナーハウジングを用いることで防水性を高めたジャックに関する。
【背景技術】
【０００２】
従来、防水機能を有するジャックに関する発明として、下記特許文献１に、装入されるプラグを受け入れるプラグ挿入孔、接点部を該プラグ挿入孔に挿入されるプラグの対応する電極に接触させるべく該プラグ挿入孔の周囲に位置決めするコンタクトバネの取付手段、及び該コンタクトバネを該取付手段に取り付けるべく装入するための装入口を備えたジャックハウジングと、前記装入口から装入して前記取付手段に取り付け、接点部を前記プラグ挿入孔内に進出させ、端子部を前記装入口からジャックハウジング外に突出させたコンタクトバネと、前記端子部のジャックハウジング外への突出を許容しつつ前記装入口を閉じるカバー部材と、前記カバー部材の外面及び前記装入口の内縁で囲まれた凹所の全部又は一部に施す防水用の接着剤と、で構成した防水ジャックにおいて、前記コンタクトバネの、前記取付手段に取り付け固定するための基部に接着剤溜まりを形成した防水ジャックが開示されている。
【先行技術文献】
【特許文献】
【０００３】
【特許文献１】特開２０１４−００３００７号公報
【発明の概要】
【発明が解決しようとする課題】
【０００４】
コンタクトをハウジングのプラグが挿入される側と反対側から装着させる場合、コンタクトを装着させた後に防水用の接着剤を塗布して、コンタクトの固定と防水を行う必要がある。その際、防水用の接着剤は、粘性が高いと、コンタクトとハウジングの隙間に入り込むことが難しくなり、十分な防水効果が得られない。一方、粘性の低い接着剤を用いると、接着剤がコンタクト等の隙間から入り込み、コンタクトの接点に付着し、通電を妨げるという課題がある。
【０００５】
なお、上記引用文献１の防水ジャックでは、コンタクトに接着剤溜まりを形成することで、余分な接着剤をコンタクトの接点部にまで到達することを防止しているが、封止剤の量や粘性により、接着剤溜まりを超えてコンタクトの接点に到達するおそれがある。
【０００６】
本発明は、ハウジング内にコンタクトを装着させたインナーハウジングを設けることで、封止剤がハウジングに侵入することを抑制でき、コンタクトの接点部に封止剤が付着することを抑制した信頼性の高いジャックを提供することができる。
【課題を解決するための手段】
【０００７】
上記目的を達成するために、第１の態様のジャックは、相手方のプラグと接触される少なくとも１つのコンタクトと、前記コンタクトが収容され、前記プラグが挿入される挿入口が形成されたハウジングと、を有するジャックであって、
前記コンタクトは、前記ハウジング内に挿入されるインナーハウジングに装着されており、
前記ハウジングには、前記インナーハウジングが挿入される開口が前記挿入口とは反対側に形成されており、
前記コンタクトが装着された前記インナーハウジングが前記ハウジングの前記開口から挿入され、且つ、少なくとも前記開口が封止剤で封止されていることを特徴とする。
【０００８】
第２の態様のジャックは、相手方プラグと接触される複数のコンタクトと、前記コンタクトが収容され、前記プラグが挿入される挿入口を有するハウジングと、を有するジャックであって、
前記コンタクトは、前記ハウジング内に挿入される複数のインナーハウジングにそれぞれ装着されており、
前記ハウジングには、前記複数のインナーハウジングが挿入される複数の開口が前記挿入口とは反対側にそれぞれ形成されており、
前記コンタクトが装着された複数の前記インナーハウジングが前記ハウジングの複数の前記開口から挿入され、且つ、少なくとも複数の前記開口が封止剤で封止されていることを特徴とする。
【０００９】
また、第３の態様のジャックは、第１又は第２の態様のジャックにおいて、前記インナーハウジングには、前記コンタクトが取り付けられる取付溝部が形成されていることを特徴とする。
【００１０】
また、第４の態様のジャックは、第３の態様のジャックにおいて、前記インナーハウジングは、前記コンタクトが装着された場合、前記プラグと接する接点部と、前記接点部と反対側の接続部が前記取付溝部から突出されるように形成されていることを特徴とする。
【００１１】
また、第５の態様のジャックは、第３又は第４の態様のジャックにおいて、前記取付溝部の前記封止剤で封止される側は、前記コンタクトが圧入される幅で形成された圧入部が形成されていることを特徴とする。
【００１２】
また、第６の態様のジャックは、第３〜第５のいずれかの態様のジャックにおいて、前記取付溝部には、幅が広く形成された部分、又は、隣り合う前記取付溝部が繋がれた部分からなる逃がし穴が形成されていることを特徴とする。
【００１３】
また、第７の態様のジャックは、第１〜第６のいずれかの態様のジャックにおいて、前記ハウジングには、前記インナーハウジングが収容される収容空間を有し、
前記収容空間と前記プラグが挿入される空間とが連通されていることを特徴とする。
【００１４】
また、第８の態様のジャックは、第７の態様のジャックにおいて、前記収容空間は、前記開口から挿入された前記インナーハウジングが摺動される大きさで形成されていることを特徴とする。
【００１５】
また、第９の態様のジャックは、第７〜第８のいずれかの態様のジャックにおいて、前記コンタクトは、少なくとも前記プラグと接する部分が、打ち抜き加工で形成されていることを特徴とする。
【発明の効果】
【００１６】
第１の態様のジャックによれば、コンタクトは、インナーハウジングに装着させてからハウジング内に取り付けられるので、塗布された封止剤がコンタクトの隙間等からハウジング内に侵入することを抑制することができる。
【００１７】
第２の態様のジャックによれば、複数のコンタクトが複数のインナーハウジングに装着されてハウジング内に取り付けられるので、塗布された封止剤がコンタクトの隙間等からハウジング内に侵入することを抑制することができる。
【００１８】
また、第３の態様のジャックによれば、インナーハウジングに形成された取付溝部にコンタクトを装着することで、コンタクトの装着を容易に行うことができる。また、複数のコンタクトを装着する場合、コンタクト同士の短絡を抑制することができる。
【００１９】
また、第４の態様のジャックによれば、コンタクトの接点部及び接続部がインナーハウジングから突出されることで、インナーハウジングの装着させた状態でも、コンタクトの機能を発揮させることができる。
【００２０】
また、第５の態様のジャックによれば、インナーハウジングとコンタクトの隙間をより狭くすることができるため、封止剤が侵入することをより抑制することができる。
【００２１】
また、第６の態様のジャックによれば、漏れ出した封止剤を溜めておくことができる。
【００２２】
また、第７の態様のジャックによれば、インナーハウジングに装着させたコンタクトを挿入されたプラグと接触させることができる。
【００２３】
また、第８の態様のジャックによれば、インナーハウジングが挿入されることで開口を塞ぐことができるので、封止剤の侵入をより抑制することができる。
【００２４】
また、第９の態様のジャックによれば、プラグと接する部分が打ち抜いて形成されているため、打ち抜いた際の破断面の凹凸により、高いワイピング効果を得ることができる。
【図面の簡単な説明】
【００２５】
【図１】図１Ａは実施形態１に係るジャックの斜視図であり、図１Ｂは別の方向からみた斜視図である。
【図２】図２Ａは実施形態１に係るジャックの一方から見た側面図であり、図２Ｂは正面図であり、図２Ｃは背面図であり、図２Ｄは平面図である。
【図３】実施形態１に係るジャックの分解斜視図である。
【図４】実施形態１に係るインナーハウジング及び各コンタクトの分解斜視図である。
【図５】図５Ａは第１コンタクトの一方から見た側面図であり、図５Ｂは第２コンタクトの一方から見た側面図であり、図５Ｃは第３コンタクトの一方から見た側面図である。
【図６】図６Ａは実施形態１に係るインナーハウジングの平面図であり、図６Ｂは正面図であり、図６Ｃは背面図であり、図６Ｄは他方から見た側面図であり、図６Ｅは一方から見た側面図である。
【図７】図７Ａは図３のVIIA−VIIA線での断面図であり、図７Ｂは図３のVIIB−VIIB線での断面図であり、図７Ｃは図３のVIIC−VIIC線での断面図である。
【図８】図８Ａは図２ＤのVIIIA−VIIIA線での断面図であり、図８Ｂは図２ＡのVIIIB−VIIIB線での断面図であり、図８Ｃは図２ＡのVIIIC−VIIIC線での断面図であり、図８Ｄは図２ＡのVIIID−VIIID線での断面図である。
【図９】図９Ａは実施形態２に係るジャックの斜視図であり、図９Ｂは他ホ方向から見た斜視図である。
【図１０】図１０Ａは実施形態２に係るジャックの一方から見た側面図であり、図１０Ｂは正面図であり、図１０Ｃは背面図であり、図１０Ｄは平面図である。
【図１１】実施形態２に係るジャックの分解斜視図である。
【図１２】実施形態２に係る第１インナーハウジング、第２インナーハウジング及び各ジャックの分解斜視図である。
【図１３】図１３Ａは第４コンタクトの斜視図であり、図１３Ｂは一方から見た側面図であり、図１３Ｃは第５コンタクトの斜視図であり、図１３Ｄは一方から見た側面図である。
【図１４】図１４Ａは実施形態２に係る第１インナーハウジングの平面図であり、図１４Ｂは正面図であり、図１４Ｃは背面図であり、図１４Ｄは他方から見た側面図であり、図１４Ｅは一方から見た側面図である。
【図１５】図１５Ａは実施形態２に係る第２インナーハウジングの平面図であり、図１５Ｂは正面図であり、図１５Ｃは背面図であり、図１５Ｄは他方から見た側面図であり、図１５Ｅは一方から見た側面図である。
【図１６】図１６Ａは第１インナーハウジングに各コンタクトを装着した状態の一方から見た側面図であり、図１６Ｂは図１６ＡのXVIB−XVIB線での断面図であり、図１６Ｃは図１６ＡのXVIC−XVIC線での断面図であり、図１６Ｄは図１６ＡのXVID−XVID線での断面図である。
【図１７】図１７Ａは第２インナーハウジングに各コンタクトを装着した状態の他方から見た側面図であり、図１７Ｂは図１７ＡのXVIIB−XVIIB線での断面図であり、図１７Ｃは図１７ＡのXVIIC−XVIIC線での断面図であり、図１７Ｄは図１７ＡのXVIID−XVIID線での断面図である。
【図１８】図１８Ａは図１０ＤのXVIIIA−XVIIIA線での断面図であり、図８Ｂは図１０ＡのXVIIIB−XVIIIB線での断面図である。
【発明を実施するための形態】
【００２６】
以下、図面を参照して本発明の実施形態を説明する。但し、以下に示す実施形態は、本発明の技術思想を具体化するためのジャックを例示するものであって、本発明をこれに特定することを意図するものではなく、特許請求の範囲に含まれるその他の実施形態のものも等しく適応し得るものである。
【００２７】
［実施形態１］
実施形態１に係るジャックについて図１〜図８を参照して説明する。実施形態１に係るジャック１０は、図１〜図４に示すように、相手方のプラグが挿入されてジャック１０の内部に収容されたコンタクトと接続されるものであり、例えば、電子機器のイヤホンジャック等として用いられるものである。
【００２８】
実施形態１のジャック１０は、ハウジング１２と、複数のコンタクト９０、１０６、１２４と、複数のコンタクト９０、１０６、１２４が装着されるインナーハウジング４２とを有し、コンタクト９０、１０６、１２４が装着されたインナーハウジング４２をハウジング１２に収容した後、封止剤３６で封止した構造となっている。なお、実施形態１のジャック１０では、コンタクト９０、１０６、１２４及びインナーハウジング４２はハウジング１２の相手側のプラグが挿入される側とは反対側から挿入される構成となっている（図３参照）。
【００２９】
実施形態１のハウジング１２は、図１〜図３、図８に示すように、一方にプラグが挿入される挿入口１６が形成された前壁面１４と、前壁面１４と反対側であって、各コンタクト９０、１０６、１２４が装着されたインナーハウジング４２が挿入される開口２０が形成された後壁面１８と、平坦な面状に形成された上壁面２２、底壁面２４、一方の側壁面２６及び他方の側壁面２８で囲まれ、内部に所定の空間を有する中空の略直方体状で形成されている。
【００３０】
ハウジング１２の前壁面１４には、ハウジング１２の挿入空間３４と連通された挿入口１６が形成されており、この挿入口１６は、挿入されるプラグの形状に対応した形状、例えば、円形となっている。
【００３１】
また、ハウジング１２の前壁面１４側には、このジャック１０が取り付けられる電子機器が有する筐体との隙間を埋めて、水や埃等が筐体内に入り込まないようにしたシール部材３８が取り付けられている。このシール部材３８は、例えば、シリコーン等の樹脂材料をモールド成形することにより取り付けられている。なお、このシール部材３８は、ハウジング１２の上壁面２２、底壁面２４、一方の側壁面２６及び他方の側壁面２８の各前面４４側にもかかるように設けられている。また、シール部材は、別体として製造して、ハウジングに取り付けるようにしてもよい。
【００３２】
ハウジング１２の後壁面１８には、開口２０が一方の側壁面２６側に形成されており、この開口２０は、インナーハウジング４２が挿入可能な大きさ及び形状で形成されている。なお、この開口２０は、ジャック１０が組み立てられた後、後壁面１８と共に封止剤３６を用いて封止され、塞がれるようになる。
【００３３】
また、ハウジング１２の内部に形成された空間は、インナーハウジング４２が収容される収容空間３２と、相手方のプラグが挿入される挿入空間３４と、を有しており、これらの収容空間３２と挿入空間３４はハウジング１２の内部で連通されている。
【００３４】
挿入空間３４は、ハウジング１２の長手方向であって、中央部分に設けられており、ハウジング１２の前壁面１４に形成された挿入口１６と連通され、後壁面１８側は塞がれている。また、挿入空間３４は、プラグの形状に合わせて、長手方向に円筒状に形成され、途中に段差を有するように形成されている。
【００３５】
収容空間３２は、ハウジング１２の片方の側壁面側、実施形態１では一方の側壁面２６側に形成されており、インナーハウジング４２が収容可能な大きさ及び形状で形成されている。すなわち、収容空間３２は、後壁面１８側に形成された開口２０からハウジング１２内の前壁面１４側に向かって形成されており、前壁面１４側は塞がれている。そして、ハウジング１２の上壁面２２側、底壁面２４側及び一方の側壁面２６側は、平面であり、挿入空間３４側は開放されて形成されている。また、収容空間３２の挿入空間３４側には、インナーハウジング４２の挿入を案内する一対の案内部４１が形成されている（図８Ａ参照）。この案内部４１は、挿入されたインナーハウジング４２が移動しないよう位置決めを行うものでもある。
【００３６】
なお、ハウジング１２の内部には、収容空間３２の前壁面１４側の端部から前壁面１４に向かって細い溝部４０が形成されている。この細い溝部４０は、ハウジング１２の底壁面２４側は塞がれており、挿入空間３４側が開放されている。そして、細い溝部４０には、後述する第３コンタクト１２４の第３接点部１２８及び第３弾性部１３４の一部が配置されるようになる。
【００３７】
次に、図３〜図５を参照して複数のコンタクトについて説明する。実施形態１のコンタクトは、それぞれ相手方のプラグと接触される接点部と、筐体内の配線等と接続される接続部とを有し、配置される場所に応じて異なる形状となるように金属材料で形成されている。また、複数のコンタクトは、それぞれ、一枚の金属製の板体を打ち抜いて加工して製造されている。
【００３８】
なお、実施形態１では、３本のコンタクトが用いられているので、この３本のコンタクトをそれぞれ、第１コンタクト９０、第２コンタクト１０６及び第３コンタクト１２４と、として説明する。
【００３９】
第１コンタクト９０は、第１コンタクト本体９２を有し、第１コンタクト本体９２の一方の端部側には第１接点部９４が形成され、他方の端部側には、第１接続部９８が形成されている。
【００４０】
第１接点部９４は、挿入されるプラグと接触される部分であり、プラグが挿入される側に突出した第１凸部９６が形成されている。
【００４１】
また、第１コンタクト本体９２の略中央部分には、インナーハウジング４２に装着される側に突出し、インナーハウジング４２に位置決めされる第１突起１０４が形成されている。さらに、第１突起１０４と第１接点部９４との間は、挿入されたプラグを第１接点部９４が押圧するように弾性変形可能な第１弾性部１００となっている。なお、第１接点部９４は、金属製の板体を打ち抜いた状態となっており、プラグと接する部分に凹凸があることで、高いワイピングの効果を有する。
【００４２】
第１接続部９８は、一部が屈曲されて形成されている。なお、この第１接続部９８の形状は、ジャックが電子機器等の筐体に取り付けられた場合に、筐体内の構造に応じた形状とすることができる。
【００４３】
また、第１コンタクト本体９２の第１接続部９８側には第１圧入部１０２を有し、この第１圧入部１０２は、インナーハウジング４２に装着された場合に、後述するインナーハウジング４２の第１取付溝部５６に形成された第１圧入溝６０に圧入される部分となる。
【００４４】
また、第２コンタクト１０６は、第２コンタクト本体１０８を有し、第２コンタクト本体１０８の一方の端部側には、インナーハウジング４２に装着される側に突出し、インナーハウジング４２に位置決めされる第２突起１２０が形成され、他方の端部側には、第２接続部１１４が形成されている。
【００４５】
また、第２コンタクト本体１０８の第２突起１２０側からは、第２コンタクト本体１０８と沿うように延設された第２弾性部１１６が第２接続部１１４側に向かって形成されており、この第２弾性部１１６の端部には第２接点部１１０が形成されている。そして、この第２接点部１１０にはプラグが挿入される側に突出した第２凸部１１２が形成されている。また、第２接点部１１０は、金属製の板体を打ち抜いた状態となっており、プラグと接する部分に凹凸があることで、高いワイピングの効果を有する。
【００４６】
第２弾性部１１６は、第２接点部１１０を挿入されたプラグ側に押圧するように弾性変形可能に形成されている。
【００４７】
また、第２コンタクト本体１０８の第２接続部１１４側には、インナーハウジングに装着される側に突出し、インナーハウジング４２に位置決めされる第２突起１２０より小さい第２小突起１２２が形成されている。
【００４８】
第２接続部１１４は、一部が屈曲されて形成されている。なお、この第２接続部１１４の形状は、ジャック１０が筐体に取り付けられた場合に、筐体内の構造に応じた形状とすることができる。
【００４９】
また、第２コンタクト本体１０８の第２接続部１１４側には第２圧入部１１８を有し、この第２圧入部１１８はインナーハウジング４２に装着された場合に、後述するインナーハウジング４２の第２取付溝部６６に形成された第２圧入溝７０に圧入される部分となっている。なお、第２圧入部１１８は第２小突起１２２も含まれており、第２小突起１２２も第２圧入溝７０に圧入されるようになる。
【００５０】
また、第３コンタクト１２４は、第３コンタクト本体１２６を有し、第３コンタクト本体１２６の一方の端部側には第３接点部１２８が形成され、他方の端部側には、第３接続部１３２が形成されている。
【００５１】
第３接点部１２８は、プラグが挿入される側に突出した第３凸部１３０が形成されている。また、第３コンタクト本体１２６の略中央部分には、インナーハウジング４２に装着される側に突出し、インナーハウジング４２に位置決めされる第３突起１３８が形成されている。なお、第３突起１３８と第３接点部１２８との間は、挿入されたプラグを第３接点部１２８が押圧するように弾性変形可能な第３弾性部１３４となっている。また、第３接点部１２８は、金属製の板体を打ち抜いた状態となっており、プラグと接する部分に凹凸があることで、高いワイピングの効果を有する。
【００５２】
第３接続部１３２は、一部が屈曲されて形成されている。なお、この第３接続部１３２の形状は、ジャック１０が筐体に取り付けられた場合に、筐体内の構造に応じた形状とすることができる。
【００５３】
また、第３コンタクト本体１２６の第３接続部１３２側は、インナーハウジング４２に装着された場合に、後述するインナーハウジング４２の第３取付溝部７８に形成された第３圧入溝８２に圧入される第３圧入部１３６となっている。
【００５４】
なお、第１コンタクト９０、第２コンタクト１０６及び第３コンタクト１２４は、第１コンタクト９０が最も短く、第３コンタクト１２４が最も長く形成されている。
【００５５】
次に、インナーハウジング４２について主に図２，図３、図６、図７を参照して説明する。インナーハウジング４２は、ハウジング１２に先に挿入される側の前面４４と、前面４４と対向し、ハウジング１２の開口２０側に配置される後面４６と、平面状に形成された上面４８及び底面５０と、複数の溝が形成された一方の側面５２と、複数の貫通孔が形成された他方の側面５４とを有し、樹脂材料により略直方体状に形成されている。
【００５６】
インナーハウジング４２の前面４４には、一方の側面５２側であって上面４８側に１つの溝が形成されている。この溝は、後述する第３取付溝部７８の一部であり、第３コンタクト１２４が装着された場合に第３接点部１２８側が突出する部分となる。
【００５７】
また、前面４４の他方の側面５４側は、曲面状に形成されている。この部分は、プラグが挿入される部分となる。
【００５８】
インナーハウジング４２の後面４６は、一方の側面５２側に３つの溝が形成されている。この溝は、上面４８側から、第１取付溝部５６、第２取付溝部６６及び第３取付溝部７８となっており、それぞれ、第１コンタクト９０、第２コンタクト１０６及び第３コンタクト１２４が装着された際に、各コンタクトの第１接続部９８、第２接続部１１４及び第３接続部１３２が突出される部分となる。
【００５９】
インナーハウジング４２の一方の側面５２は、３本の溝が前面４４側から後面４６側に亘って形成されている。これらの溝は、上面４８側から第１取付溝部５６、第２取付溝部６６及び第３取付溝部７８となっており、それぞれ、第１コンタクト９０、第２コンタクト１０６及び第３コンタクト１２４が装着される溝となる。なお、各溝については後述する。
【００６０】
また、インナーハウジング４２の他方の側面５４は、長手方向に沿って曲面状に形成されており、前面４４側から後面４６側に向かう途中に緩やかな段差を有している。この曲面状の部分は、プラグが挿入される部分となり、プラグの形状に合わせて、段差が形成されている。
【００６１】
また、他方の側面５４には、２つ貫通孔が形成されており、前面４４側に形成された貫通孔は、第１取付溝部５６と繋がる第１貫通孔であり、後面４６側に形成された貫通孔は、第２取付溝部６６と繋がる第２貫通孔７２である。この第１貫通孔６２及び第２貫通孔７２は、第１コンタクト９０の第１接点部９４及び第２コンタクト１０６の第２接点部１１０が突出して配置される部分となる。
【００６２】
また、インナーハウジング４２に形成される各溝は、装着される各コンタクトに応じて、形状が異なって形成されている。
【００６３】
第１コンタクト９０が装着される第１取付溝部５６は、インナーハウジング４２の一方の側面５２側であって、前面４４側が塞がれ、後面４６側が開放されて形成されている。また、第１取付溝部５６の内部には、第１コンタクト９０の第１接点部９４及び第１弾性部１００が弾性変形する際に移動可能な第１隙間５８が形成されている。この第１隙間５８は、他方の側面５４に形成された第１貫通孔６２と連通されており、第１コンタクト９０の第１接点部９４が突出されるようになる。
【００６４】
さらに、第１取付溝部５６の中央部分には、第１コンタクト９０に形成された第１突起１０４が嵌り込む第１嵌入部６４が形成され、この第１嵌入部６４に第１コンタクト９０の第１突起１０４が嵌り込むことで、第１コンタクト９０の位置決めが行われる。また、インナーハウジング４２の第１取付溝部５６の後面４６側には、他の溝の幅より狭く形成された第１圧入溝６０が形成されており、第１コンタクト９０の第１圧入部１０２が圧入することでも、第１コンタクト９０の位置決め固定が行われる。
【００６５】
第２コンタクト１０６が装着される第２取付溝部６６は、インナーハウジング４２の一方の側面５２側であって、前面４４側が塞がれ、後面４６側が開放されて形成されている。また、第２取付溝部６６の内部には、第２コンタクト１０６の第２接点部１１０及び第２弾性部１１６が弾性変形する際に移動可能な第２隙間６８が形成されている。この第２隙間６８は、他方の側面５４に形成された第２貫通孔７２と連通されており、第２コンタクト１０６の第２接点部１１０が突出されるようになる。
【００６６】
さらに、インナーハウジング４２の前面４４側及び後面４６側の第２取付溝部６６には、第２コンタクト１０６に形成された第２突起１２０及び第２小突起１２２が嵌り込む第２嵌入部７４及び第２小嵌入部７６が形成され、この第２嵌入部７４及び第２小嵌入部７６に第２コンタクト１０６の第２突起１２０及び第２小突起１２２が嵌り込むことで、第２コンタクト１０６の位置決めが行われる。また、インナーハウジング４２の後面４６側の第２取付溝部６６には、他の溝の幅より狭く形成された第２圧入溝７０が形成されており、第２コンタクト１０６の第２圧入部１１８が圧入することでも、第２コンタクト１０６の位置決め固定が行われる。
【００６７】
第３コンタクト１２４が装着される第３取付溝部７８は、インナーハウジング４２の一方の側面５２側であって、前面４４側及び後面４６側が開放されて形成されている。また、第３取付溝部７８の内部には、第３コンタクト１２４の第３弾性部１３４が弾性変形する際に移動可能な第３隙間８０が形成されている。
【００６８】
さらに、第３取付溝部７８の中央部分には、第３コンタクト１２４に形成された第３突起１３８が嵌り込む第３嵌入部８４が形成され、この第３嵌入部８４に第３コンタクト１２４の第３突起１３８が嵌り込むことで、第３コンタクト１２４の位置決めが行われる。また、インナーハウジング４２の第３取付溝部７８の後面４６側には、他の溝の幅より狭く形成された第３圧入溝８２が形成されており、第３コンタクト１２４の第３圧入部１３６が圧入することでも、第３コンタクト１２４の位置決め固定が行われる。
【００６９】
また、第１取付溝部５６と第２取付溝部６６及び第２取付溝部６６と第３取付溝部７８とは、前面４４側に向かってそれぞれの第１〜第３圧入溝６０、７０、８２を越えた部分で繋がるように穴が形成されている。この穴は、ジャックの組立ての際に塗布した封止剤がインナーハウジングの内部に漏れた場合に、漏れた封止剤を逃がす逃がし穴８８となっている。
【００７０】
次に、実施形態１のジャック１０の組立てについて主に図３、図４、図７、図８を参照して説明する。まず、実施形態１のジャック１０の組立ては、金属製の板体を打ち抜いて加工した複数のコンタクトをインナーハウジング４２に装着させる。すなわち、第１コンタクト９０をインナーハウジング４２の第１取付溝部５６に嵌め込み、第１コンタクト９０の第１突起１０４を第１取付溝部５６の第１嵌入部６４に嵌入させ、また、第１コンタクト９０の第１圧入部１０２を第１取付溝部５６の第１圧入溝６０に圧入させて装着させる。このとき、第１コンタクト９０の第１接点部９４が第１取付溝部５６の第１貫通孔６２から突出するように設けられ、また、第１コンタクト９０の第１弾性部１００が第１隙間５８を移動可能な状態に設けられる。なお、第１接続部９８はインナーハウジング４２の後面４６側の第１取付溝部５６の開放された部分から突出されて装着される。
【００７１】
次に、第２コンタクト１０６をインナーハウジング４２の第２取付溝部６６に嵌め込み、第２コンタクト１０６の第２突起１２０及び第２小突起１２２を第２取付溝部６６の第２嵌入部７４及び第２小嵌入部７６に嵌入させ、また、第２コンタクト１０６の第２圧入部１１８を第２取付溝部６６の第２圧入溝７０に圧入させて装着させる。このとき、第２コンタクト１０６の第２接点部１１０が第２取付溝部６６の第２貫通孔７２から突出するように設けられ、また、第２コンタクト１０６の第２弾性部１１６が第２隙間６８を移動可能な状態に設けられる。なお、第２接続部１１４はインナーハウジング４２の後面４６側の第２取付溝部６６の開放された部分から突出されて装着される。
【００７２】
さらに、第３コンタクト１２４をインナーハウジング４２の第３取付溝部７８に嵌め込み、第３コンタクト１２４の第３突起１３８を第３取付溝部７８の第３嵌入部８４に嵌入させ、また、第３コンタクト１２４の第３圧入部１３６を第３取付溝部７８の第３圧入溝８２に圧入させて装着させる。このとき、第３コンタクト１２４の第３接点部１２８及び第３弾性部１３４の一部が第３取付溝部７８前面４４側の開放された部分から突出するように設けられ、また、第３コンタクトの第３弾性部１３４の残りの部分が第３隙間８０を移動可能な状態に設けられる。なお、第３接続部１３２はインナーハウジング４２の後面４６側の第３取付溝部７８の開放された部分から突出されて装着される。
【００７３】
次に、上述したシール部材を取り付けたハウジングに、各コンタクト９０、１０６、１２４が装着されたインナーハウジング４２を取り付ける。この取り付けは、ハウジング１２の後壁面１８に形成された開口２０からインナーハウジング４２の挿入し、ハウジング１２内部の収容空間３２に配置する。このとき、インナーハウジング４２は、曲面状に形成された他方の側面５４側がハウジング１２の中央に向かい、一方の側面５２側がハウジング１２の一方の側壁面２６側に向くようにして挿入される。そして、ハウジング１２にインナーハウジング４２を挿入する際には、ハウジング１２の収容空間３２に形成された案内部４１により、インナーハウジング４２の他方の側面５４側が案内されると共に、装着された際には移動が抑制される。
【００７４】
このとき、ハウジング１２の内部から前壁面１４側に形成された細い溝部４０に第３コンタクト１２４の第３接点部１２８及び第３弾性部の一部が挿通されて配置されるようになる。
【００７５】
その後、ハウジング１２の後壁面１８を開口２０と共に封止剤３６により封止する。この封止剤は、例えば、液体状のものであって、塗布した後、固着されるものが用いられる。
【００７６】
そして、封止剤３６で封止されることにより、インナーハウジング４２と各コンタクト９０、１０６、１２４及びハウジング１２の開口２０とインナーハウジング４２の隙間が封止されて、水等の侵入を抑制することができる。また、この封止剤３６が固まることで、インナーハウジング４２がハウジング１２内に固定されるようになる。以上で、ジャック１０の組立てが完成する。
【００７７】
実施形態１のジャックでは、インナーハウジングには、封止剤が塗布される後面側にコンタクトが圧入される圧入溝が形成されることで、圧入されたコンタクトにより溝の隙間が埋まり、粘性の低い封止剤を用いても、封止剤がインナーハウジングとハウジングの隙間、及びインナーハウジングとコンタクトとの隙間に侵入することを抑制することができる。
【００７８】
また、隣接するコンタクトを近づけて配置するようにしても、複数のコンタクトがインナーハウジングに装着されているので、コンタクト同士の短絡を抑制することができる。
【００７９】
さらに、打ち抜いて形成したコンタクトをインナーハウジングに装着してハウジングに取り付けることで、挿入されるプラグに押圧されて座屈が発生することを抑制することができる。
【００８０】
また、実施形態１のジャックでは、コンタクトを３本用いた場合を説明したが、これに限らず、１本でもよく、また、他の本数を用いるようにしてもよい。この場合、インナーハウジングに形成される取付溝部の本数がコンタクトの本数に応じて形成されるようになる。
【００８１】
［実施形態２］
次に、実施形態２に係るジャック１０Ａについて図９〜図１８を参照して説明する。実施形態１のジャック１０では、ハウジング１２にインナーハウジング４２が一つ取り付けられる場合を説明したが、実施形態２のジャック１０Ａでは、２つのインナーハウジングが取り付けられる場合を説明する。なお、実施形態２のジャック１０Ａは、実施形態１のジャック１０と共通する構成については同一の符号を付し、詳細な説明は省略する。
【００８２】
実施形態２のジャック１０Ａは、図９〜図１１に示すように、複数のコンタクト９０、１０６、１２４、２１６、２３２がそれぞれ装着された２つのインナーハウジング１５２、１６８が取り付けられている。そして、この２つのインナーハウジング１５２、１６８は、挿入される相手方のプラグに対して、両側から挟み込むようにして、ハウジング１２Ａに取り付けられるようになっている。
【００８３】
実施形態２のジャック１０Ａは、ハウジング１２Ａと、複数のコンタクト９０、１０６、１２４、２１６、２３２と、複数のコンタクト９０、１０６、１２４、２１６、２３２が装着される第１インナーハウジング１５２及び第２インナーハウジング１６８とを有し、各コンタクト９０、１０６、１２４、２１６、２３２が装着されたそれぞれのインナーハウジング４２がハウジング１２に収容された状態で、封止剤３６により封止されて形成された構造となっている。
【００８４】
実施形態２のハウジング１２は、図９、図１０、図１１、図１８に示すように実施形態１のハウジング１２と同じように、一方にプラグが挿入される挿入口１６が形成された前壁面１４Ａと、前壁面１４Ａと反対側であって、各コンタクト９０、１０６、１２４、２１６、２３２が装着された第１インナーハウジング１５２及び第２インナーハウジング１６８がそれぞれ挿入される２つの第１開口１４０及び第２開口１４４が形成された後壁面１８Ａと、平坦な面状に形成された上壁面２２Ａ、底壁面２４Ａ、一方の側壁面２６Ａ及び他方の側壁面２８Ａで囲まれ、内部に所定の空間を有する中空の略直方体状で形成されている。なお、実施形態２のハウジング１２Ａは、実施形態１のハウジング１２に比べ、上壁面２２Ａ、一方の側壁面２６Ａ及び他方の側壁面２８Ａが、前壁面１４Ａ側に向かって傾斜した形状なっている。この形状は、ジャックが取り付けられる筐体の形状に応じて変更可能なものである。
【００８５】
ハウジング１２Ａの前壁面１４Ａには、実施形態１のハウジング１２と同様に、ハウジング１２Ａの挿入空間３４と連通された挿入口１６Ａが形成されている。この挿入口１６Ａは、挿入されるプラグの形状に対応して形成され、実施形態２では、円形となっている。
【００８６】
なお、実施形態２のハウジング１２Ａの前壁面１４Ａ側には、実施形態１のハウジング１２のようなシール部材は省略されているが、シール部材を設けてもよい。
【００８７】
ハウジング１２Ａの後壁面１８Ａには、中央部分を挟んで、一方の側壁面２６Ａ側と他方の側壁面２８Ａ側の両側に２つの第１開口１４０及び第２開口１４４がそれぞれ形成されており、この第１開口１４０及び第２開口１４４は、第１インナーハウジング１５２及び第２インナーハウジング１６８が挿入可能な大きさで形成されている。なお、この第１開口１４０及び第２開口１４４は、ジャック１０Ａが組み立てられた後、後壁面１８Ａと共に封止剤３６で封止されるようになる。
【００８８】
また、ハウジング１２Ａの内部に形成された空間は、第１インナーハウジング１５２が収容される第１収容空間１４２と、第２インナーハウジング１６８が収容される第２収容空間１４６と、相手方のプラグが挿入される挿入空間３４と、を有している。このとき、第１収容空間１４２と挿入空間３４及び第２収容空間１４６と挿入空間３４はそれぞれ連通されている。
【００８９】
挿入空間３４は、実施形態１の挿入空間３４と同様に、ハウジング１２Ａの中央部分に設けられており、ハウジング１２Ａの前壁面１４Ａに形成された挿入口１６Ａと連通され、後壁面１８Ａ側は塞がれている。また、挿入空間３４は、プラグの形状に合わせて、長手方向に円筒状に形成され、途中に段差を有するように形成されている。
【００９０】
第１収容空間１４２は、ハウジング１２Ａの一方の側壁面２６Ａ側に形成されており、第１インナーハウジング１５２が収容可能な形状及び大きさで形成されている。すなわち、第１収容空間１４２は、後壁面１８Ａ側に形成された第１開口１４０からハウジング１２Ａ内の前壁面１４Ａ側に向かって形成されており、前壁面１４Ａ側は塞がれている。そして、ハウジング１２Ａの上壁面２２Ａ、底壁面２４Ａ及び一方の側壁面２６Ａ側は、平面であり、挿入空間３４側は開放されて形成されている。また、第１収容空間１４２の挿入空間３４側には、第１インナーハウジング１５２の挿入を案内する一対の第１案内部１５０が形成されている（図１８Ａ参照）。この第１案内部１５０は、挿入された第１インナーハウジング１５２が移動しないよう位置決めを行うものでもある。なお、実施形態２の第１収容空間１４２は、実施形態１の収容空間３２に対応するものである。
【００９１】
また、第２収容空間１４６は、ハウジング１２Ａの他方の側壁面２８Ａ側に形成されており、第２インナーハウジング１６８が収容可能な形状及び大きさで形成されている。すなわち、第２収容空間１４６は、後壁面１８Ａ側に形成された第２開口１４４からハウジング１２Ａ内の前壁面１４Ａ側に向かって形成されており、前壁面１４Ａ側は塞がれている。そして、ハウジング１２の上壁面２２Ａ、底壁面２４Ａ及び他方の側壁面２８Ａ側は、平面であり、挿入空間３４側は開放されて形成されている。また、第２収容空間１４６の挿入空間３４側には、第２インナーハウジング１６８の挿入を案内する一対の第２案内部１５１が形成されている（図１８Ａ参照）。この第２案内部１５１は、挿入された第２インナーハウジング１６８が移動しないよう位置決めを行うものでもある。
【００９２】
なお、ハウジング１２Ａの内部には、第２収容空間１４６の前壁面１４Ａ側の端部から前壁面１４Ａに向かって細い溝部１４８が形成されている。この細い溝部１４８は、ハウジング１２Ａの底壁面２４Ａ側は塞がれており、挿入空間３４側が開放されている。そして、細い溝部１４８には、後述する第４コンタクト２１６の第４接点部２２０及び第４弾性部２２６の一部が配置されるようになる。
【００９３】
次に、複数のコンタクトについて主に図４、図５、図１２、図１３を参照して説明する。複数のコンタクトは、実施形態１と同様にそれぞれ相手方のプラグと接触される接点部と、筐体内の配線等と接続される接続部とを有し、配置される場所により、異なる形状となるように金属材料で形成されている。また、複数のコンタクトは、それぞれ、一枚の金属製の板体を打ち抜いて加工して製造されている。
【００９４】
また、実施形態２では、５本のコンタクトが用いられており、第１インナーハウジング１５２に用いられるコンタクトをそれぞれ第１コンタクト９０、第２コンタクト１０６及び第３コンタクト１２４（図４、図５、図１２参照）とし、第２インナーハウジング１６８に用いられるコンタクトを第４コンタクト２１６及び第５コンタクト２３２（図１２、図１３参照）としている。
【００９５】
なお、実施形態２の第１〜第３コンタクト９０、１０６、１２４は、実施形態１の第１〜第３コンタクト９０、１０６、１２４と共通するので、詳細な説明は省略する。
【００９６】
第４コンタクト２１６は、第４コンタクト本体２１８を有し、第４コンタクト本体２１８の一方の端部側には第４接点部２２０が形成され、他方の端部側には、第４接続部２２４が形成されている。
【００９７】
第４接点部２２０は、プラグが挿入される側に突出した第４凸部２２２が形成されている。また、第４コンタクト本体２１８の略中央部分には、第２インナーハウジング１６８に装着される側に突出し、第２インナーハウジング１６８に位置決めされる第４突起２３０が形成されている。なお、第４突起２３０と第４接点部２２０との間は、挿入されたプラグを第４接点部２２０が押圧するように弾性変形可能な第４弾性部２２６となっている。
【００９８】
第４接続部２２４は、一部が屈曲されて形成されている。なお、この第４接続部２２４の形状は、ジャック１０Ａが筐体に取り付けられた場合に、筐体内の構造に応じた形状とすることができる。
【００９９】
また、第４コンタクト本体２１８の第４接続部２２４側は、第２インナーハウジング１６８に装着された場合に、第２インナーハウジング１６８の第４取付溝部１９０に形成された第４圧入溝１９４に圧入される第４圧入部２２８となっている。
【０１００】
また、第５コンタクト２３２は、第５コンタクト本体２３４を有し、第５コンタクト本体２３４の一方の端部側には、第２インナーハウジング１６８に装着される側に突出し、第２インナーハウジング１６８に位置決めされる第５突起２４８が形成され、他方の端部側には、第５接続部２４２が形成されている。
【０１０１】
また、第５コンタクト本体２３４の第５突起２４８側からは、第５コンタクト本体２３４と沿うように延設された第５弾性部２４４が第５接続部２４２側に向かって延設されており、この第５弾性部２４４の端部には第５接点部２３６が形成されている。この第５接点部２３６は、第５弾性部２４４の端部が略９０°屈曲されており、板体の平面側がプラグと接触されるように挿入空間３４側を向くように形成された接触面２３８となっている。さらに、この第５接点部２３６は、プラグとの着脱が円滑に行えるように、プラグの挿抜方向に沿って前後側にそれぞれ傾斜部２４０が形成されている。
【０１０２】
また、第５コンタクト本体２３４の第５接続部２４２側には、第２インナーハウジング１６８に装着される側に突出し、第２インナーハウジング１６８に位置決めされる第５突起２４８より小さい第５小突起２５０が形成されている。
【０１０３】
第５接続部２４２は、一部が屈曲されて形成されている。なお、この第５接続部２４２の形状は、ジャック１０Ａが筐体に取り付けられた場合に、筐体内の構造に応じた形状とすることができる。
【０１０４】
また、第５コンタクト本体２３４の第５接続部２４２側は、第２インナーハウジング１６８に装着された場合に、第２インナーハウジング１６８の第５取付溝部１９８に形成された第５圧入溝２０４に圧入される第５圧入部２４６となっている。なお、第５圧入部２４６は第５小突起２５０も含まれており、第５小突起２５０も第５圧入溝２０４に圧入されるようになる。
【０１０５】
また、第５接点部２３６の第５弾性部２４４とは反対側には、この第５弾性部２４４と対向するように第５補助弾性部２５４が形成され、この第５補助弾性部２５４の端部には、第５コンタクト本体２３４に対向した繋ぎ部２５２が形成され、また、この繋ぎ部２５２の端部には第５突起２４８と対向するように第５補助突起２５６が形成されている。さらに、繋ぎ部２５２の第５補助突起２５６の反対側は、第５コンタクト本体２３４と並行して延設されている。なお、この繋ぎ部２５２は、第５コンタクト本体２３４に比べて短く形成されている。
【０１０６】
次に、実施形態２の各インナーハウジングについて図１１、図１２、図１４〜１７を主に参照して説明する。実施形態２のインナーハウジングは、第１〜第３コンタクト９０，１０６、１２４が装着される第１インナーハウジング１５２と、第４、第５コンタクト２３２が装着される第２インナーハウジング１６８とを有している。
【０１０７】
なお、実施形態２の第１インナーハウジング１５２は、実施形態１のインナーハウジング４２に対応するものであり、その形状は略共通している。すなわち、第１インナーハウジング１５２は、図１２、図１４に示すように、ハウジング１２Ａに先に挿入される側の第１前面１５４と、第１前面１５４と対向し、ハウジング１２の第１開口１４０側に配置される第１後面１５６と、平面状に形成された第１上面１５８及び第１底面１６０と、複数の溝が形成された一方の第１側面１６２と、複数の貫通孔が形成された他方の第１側面１６４とを有し、樹脂材料により略直方体状に形成されている。そして、第１インナーハウジング１５２は、複数のコンタクト９０、１０６、１２４が装着された後、ハウジング１２Ａの第１収容空間１４２に収容される。
【０１０８】
なお、第１インナーハウジング１５２が実施形態１のインナーハウジング４２と異なる部分としては、第３コンタクト１２４が装着される第３取付溝部７８の第１前面１５４側が塞がれている。
【０１０９】
また、実施形態２の第１インナーハウジング１５２では、第３コンタクト１２４の第３接点部１２８は、第１前面１５４側から突出されるのではなく、他方の第１側面１６４側から突出されるようになっている。そのため、実施形態２の第１インナーハウジング１５２では、他方の第１側面１６４側に、第３コンタクト１２４の第３接点部１２８が突出する第３貫通孔１６５が形成されており、第３隙間８０と連通されている。
【０１１０】
また、第１インナーハウジング１５２の第１後面１５６側の他方の第１側面１６４が突出して形成されるようになり、この突出した部分にハウジング１２Ａに係止される第１係止突起１６６が形成されている。なお、他の構成は、実施形態１のインナーハウジング４２と共通するので、詳細な説明は省略する。
【０１１１】
また、第２インナーハウジング１６８は、図１２、図１５に示すように、ハウジング１２に先に挿入される側の第２前面１７０と、第２前面１７０と対向し、ハウジング１２の第２開口１４４側に配置される第２後面１７２と、平面状に形成された第２上面１７４及び第２底面１７６と、一方の開口部１８０が形成された一方の第２側面１７８と、複数の溝及び他方の開口部１８４が形成された他方の第２側面１８２と、を有し、樹脂材料により略直方体状に形成されている。そして、第２インナーハウジング１６８は、複数のコンタクト２１６、２３２が装着された後、ハウジング１２の第２収容空間１４６に収容される。
【０１１２】
第２インナーハウジング１６８の第２前面１７０には、一方の第２側面１７８側であって中央部分に１つの溝が形成されている。この溝は、後述する第４取付溝部１９０の一部であり、第４コンタクト２１６が装着された場合に第４接点部２２０側が突出する部分となる。また、第２前面１７０の一方の第２側面１７８側は、曲面状に形成されている。この部分は、プラグが挿入される部分となる。
【０１１３】
第２インナーハウジング１６８の第２後面１７２は、一方の第２側面１７８側に２つの溝が形成されている。この溝は、中央部分の第４取付溝部１９０と、底面側の第５取付溝部１９８となっており、それぞれ、第４コンタクト２１６、第５コンタクト２３２が装着された際に、各コンタクト２１６、２３２の第４接続部２２４、第５接続部２４２が突出される部分となる。また、第２インナーハウジング１６８の第２後面１７２側の一方の第２側面１７８には、突出して形成された部分を有し、この突出した部分にハウジング１２Ａに係止される第２係止突起２１４が形成されている。
【０１１４】
第２インナーハウジング１６８の一方の第２側面１７８は、長手方向に沿って曲面状に形成されており、第２前面１７０側から第２後面１７２側に向かう途中に緩やかな段差を有している。この曲面状の部分は、プラグが挿入される部分となり、プラグの形状に合わせて、段差が形成されている。また、一方の第２側面１７８の中央部分から第２後面１７２側に亘って開口された一方の開口部１８０が形成されている。この一方の開口部１８０は、第２インナーハウジング１６８に装着された第５コンタクト２３２の第５接点部２３６が突出される部分となる。
【０１１５】
第２インナーハウジング１６８の他方の第２側面１８２には、３本の溝が第２前面１７０側から第２後面１７２側に亘って形成されている。この溝は、第２上面１７４側から第５補助取付溝部２０６、第４取付溝部１９０及び第５取付溝部１９８となっている。そして、第４取付溝部１９０には、第４コンタクト２１６が装着され、第５取付溝部１９８及び第５補助取付溝部２０６は、第５コンタクト２３２が装着されるようになる。また、他方の第２側面１８２には、一方の第２側面１７８に形成された一方の開口部１８０と対応する位置に、略同じ大きさの他方の開口部１８４が形成されている。なお、第２インナーハウジング１６８に形成される各取付溝部は、装着される各コンタクトに応じて、形状が異なって形成されている。
【０１１６】
また、一方の第２側面１７８に形成された一方の開口部１８０と他方の第２側面１８２に形成された他方の開口部１８４は繋がれており、第２インナーハウジング１６８の内部に一方の開口部１８０と他方の開口部１８４を繋ぐ空洞部２１０となっている。
【０１１７】
第４コンタクト２１６が装着される第４取付溝部１９０は、第２インナーハウジング１６８の中央部分に形成され、第２前面１７０側及び第２後面１７２側が開放されている。また、第４取付溝部１９０の内部には、第４コンタクト２１６の第４弾性部２２６が弾性変形する際に移動可能な第４隙間１９２が形成されている。さらに、第４取付溝部１９０の中央部分には、第４コンタクトに形成された第４突起２３０が嵌り込む第４嵌入部１９６が形成され、この第４嵌入部１９６に第４コンタクト２１６の第４突起２３０が嵌り込むことで、第４コンタクト２１６の位置決めが行われる。また、第２インナーハウジング１６８の第４取付溝部１９０の第２後面１７２側には、他の溝の幅より狭く形成された第４圧入溝１９４が形成されており、第４コンタクト２１６の第４圧入部２２８が圧入することでも、第４コンタクト２１６の位置決め固定が行われる。なお、第４取付溝部１９０は、第２インナーハウジング１６８の内部に形成された空洞部２１０と繋がれている。
【０１１８】
また、第５コンタクト２３２は、第２インナーハウジング１６８に形成された２か所の溝で装着されるようになり、第５取付溝部１９８と、第５補助取付溝部２０６とで装着されるようになる。
【０１１９】
まず、第５取付溝部１９８は、第２インナーハウジング１６８の第２底面１７６側に形成されるており、第２前面１７０側が塞がれ、第２後面１７２側が開放されて形成されている。また、第５取付溝部１９８は第２インナーハウジング１６８の内部に形成された空洞部２１０と繋がれている。なお、この空洞部２１０は第５コンタクト２３２の第５接点部２３６及び第５弾性部２４４が弾性変形して移動される部分となる。さらに、第２インナーハウジング１６８の第２前面１７０側及び第２後面１７２側の第５取付溝部１９８には、第５コンタクト２３２に形成された第５突起２４８及び第５小突起２５０が嵌り込む第５嵌入部２００及び第５小嵌入部２０２が形成され、この第５嵌入部２００及び第５小嵌入部２０２に第５コンタクト２３２の第５突起２４８及び第５小突起２５０が嵌り込むことで、第５コンタクト２３２の位置決めが行われる。また、第２インナーハウジング１６８の第２後面１７２側の第５取付溝部１９８には、他の溝の幅より狭く形成された第５圧入溝２０４が形成されており、第５コンタクト２３２の第５圧入部２４６が圧入することでも、第５コンタクト２３２の位置決め固定が行われる。
【０１２０】
また、第５補助取付溝部２０６は、第２インナーハウジング１６８の第２上面１７４側に形成されており、第２前面１７０側及び第２後面１７２側が塞がれている。また、第５補助取付溝部２０６は第２インナーハウジング１６８の内部に形成された空洞部２１０と繋がれている。なお、この空洞部２１０は第５コンタクト２３２の第５接点部２３６及び第５補助弾性部２５４が弾性変形して移動される部分となる。さらに、第２インナーハウジング１６８の第２前面１７０側の第５補助取付溝部２０６には、第５コンタクト２３２に形成された第５補助突起２５６が嵌り込む第５補助嵌入部２０８が形成され、この第５補助嵌入部２０８に第５コンタクト２３２の第５補助突起２５６が嵌り込むことで、第５コンタクト２３２の位置決めが行われる。
【０１２１】
また、第２インナーハウジング１６８の内部に形成された空洞部２１０は、第４取付溝部１９０、第５取付溝部１９８及び第５補助取付溝部２０６とが繋がれており、第５コンタクト２３２の第５弾性部２４４、第５補助弾性部２５４及び第５接点部２３６が移動されるほか、ジャック１０Ａの組立ての際に塗布した封止剤がインナーハウジング４２の内部に漏れた場合に、漏れた封止剤を逃がす逃がし穴ともなっている。
【０１２２】
次に、実施形態２のジャック１０Ａの組立てについて主に図１１、図１２、図１６〜１８を参照して説明する。まず、実施形態２のジャック１０Ａの組立ては、金属製の板体を打ち抜いてそれぞれ加工した各コンタクト９０、１０６、１２４、２１６、２３２を第１インナーハウジング１５２及び第２インナーハウジング１６８にそれぞれ装着させる。すなわち、第１インナーハウジング１５２に第１〜第３コンタクト９０、１０６、１２４を装着させ、また、第２インナーハウジング１６８に第４、第５コンタクト１５２、２３２を装着させる。なお、第１インナーハウジング１５２への第１〜第３コンタクト９０、１０６、１２４の装着は、実施形態１と共通するので省略する。
【０１２３】
また、第２インナーハウジング１６８への第４、第５コンタクト２３２の装着は、これらの形状から第５コンタクト２３２の装着を先に行う。
【０１２４】
第５コンタクト２３２の第２インナーハウジング１６８への装着は、第５コンタクト２３２の第５接点部２３６が第２インナーハウジング１６８の空洞部２１０と対応するように配置し、第５取付溝部１９８及び第５補助取付溝部２０６に第５コンタクト２３２を嵌め込む。このとき、第５コンタクト２３２の第５突起２４８及び第５小突起２５０を第５取付溝部１９８の第５嵌入部２００及び第５小嵌入部２０２に嵌入させ、また、第５コンタクト２３２の第５圧入部２４６を第５取付溝部１９８の第５圧入溝２０４に圧入させて装着させると共に、第５コンタクト２３２の第５補助突起２５６を第５補助取付溝部２０６の第５補助嵌入部２０８に嵌入させ、第５コンタクト２３２を第５取付溝部１９８及び第５補助取付溝部２０６に位置決め固定させる。このとき、第５コンタクト２３２の第５接点部２３６が第２インナーハウジング１６８の一方の第２側面１７８に形成された一方の開口部１８０から突出され、空洞部２１０を移動可能な状態に設けられる。
【０１２５】
次に、第４コンタクト２１６を第２インナーハウジング１６８の第４取付溝部１９０に嵌め込み、第４コンタクト２１６の第４突起２３０を第４取付溝部１９０の第４嵌入部１９６に嵌入させ、また、第４コンタクト２１６の第４圧入部２２８を第４取付溝部１９０の第４圧入溝１９４に圧入させて装着させる。このとき、第４コンタクト２１６の第４接点部２２０及び第４弾性部２２６の一部が第４取付溝部１９０の第２前面１７０側から突出するように設けられ、また、第４コンタクト２１６の第４弾性部２２６が第４隙間１９２を移動可能な状態に設けられる。なお、第４接続部２２４は第２インナーハウジング１６８の第２後面１７２側の第４取付溝部１９０の開放された部分から突出されて装着される。
【０１２６】
次に、各コンタクト９０、１０６、１２４が装着された第１インナーハウジング１５２及び各コンタクト１５２、１６８が装着された第２インナーハウジング１６８をハウジング１２Ａに取り付ける。
【０１２７】
まず、第１インナーハウジング１５２の取り付けは、ハウジング１２Ａの後壁面１８Ａに形成された第１開口１４０から挿入し、ハウジング１２内部の第１収容空間１４２に配置させる。このとき、第１インナーハウジング１５２は、曲面状に形成された他方の第１側面１６４側がハウジング１２Ａの中央の挿入空間３４側を向き、一方の第１側面１６２側がハウジング１２Ａの一方の側壁面２６Ａ側に向くようにして挿入される。そして、ハウジング１２に第１インナーハウジング１５２を挿入する際には、ハウジング１２の第１収容空間１４２に形成された第１案内部１５０により、第１インナーハウジング１５２の他方の第１側面１６４側が案内されると共に、装着された際には、位置決めされるように支持される。
【０１２８】
また、第１インナーハウジング１５２が第１収容空間１４２の最奥まで到達したとき、第１後面１５６側の他方の第１側面に形成された第１係止突起１６６が不図示のハウジング１２Ａの係止部に係止されて抜け止めがされる。
【０１２９】
次に、第２インナーハウジング１６８の取り付けは、ハウジング１２Ａの後壁面１８Ａに形成された第２開口１４４から挿入し、ハウジング１２Ａ内部の第２収容空間１４６に配置させる。このとき、第２インナーハウジング１６８は、曲面状に形成された一方の第２側面１７８側がハウジング１２Ａの中央の挿入空間３４側を向き、他方の第２側面１８２側がハウジング１２Ａの他方の側壁面２８Ａ側に向くようにして挿入される。そして、ハウジング１２Ａに第２インナーハウジング１６８を挿入する際には、ハウジング１２Ａの第２収容空間１４６に形成された第２案内部１５１により、第２インナーハウジング１６８の他方の第２側面１８２側が案内されると共に、装着された際には、位置決めされるように支持される。
【０１３０】
また、第２インナーハウジング１６８が第２収容空間１４６の最奥まで到達したとき、第２後面１７２側の他方の第２側面１８２に形成された第２係止突起２１４が不図示のハウジング１２の係止部に係止されて抜け止めがされる。
【０１３１】
このとき、ハウジング１２Ａの内部から前壁面１４側に形成された細い溝部１４８に第４コンタクト２１６の第４接点部２２０及び第４弾性部の一部が挿通されて配置されるようになる。
【０１３２】
その後、ハウジング１２Ａの後壁面１８Ａを第１開口１４０及び第２開口１４４と共に封止剤３６により封止する。この封止剤は、例えば、液体状のものであって、塗布した後、固着されるものが用いられる。
【０１３３】
そして、封止剤３６で封止されることにより、ハウジング１２Ａの第１開口１４０、第１インナーハウジング１５２、各コンタクト９０、１０６、１２４の隙間、及び、ハウジング１２Ａの第２開口１４４、第２インナーハウジング１６８、各コンタクト２１６、２３２の隙間が封止されて、水等の侵入を抑制することができる。また、この封止剤３６が固まることで、第１及び第２インナーハウジング１５２、１６８がハウジング１２Ａ内の第１収容空間１４２及び第２収容空間１４６に固定されるようになる。以上で、ジャック１０Ａの組立てが完成する。
【０１３４】
実施形態２のジャックのようにインナーハウジングを複数用いて、コンタクトの本数を増やしても、実施形態１のジャックと同様の効果を奏することができる。
【符号の説明】
【０１３５】
１０、１０Ａ：ジャック  １２、１２Ａ：ハウジング  １４、１４Ａ：前壁面  １６，１６Ａ：挿入口  １８、１８Ａ：後壁面  ２０：開口  ２２、２２Ａ：上壁面  ２４、２４Ａ：底壁面  ２６、２６Ａ：一方の側壁面  ２８、２８Ａ：他方の側壁面  ３２：収容空間  ３４：挿入空間  ３６：封止剤  ３８：シール部材  ４０：細い溝部  ４１：案内部  ４２：インナーハウジング  ４４：前面  ４６：後面  ４８：上面  ５０：底面  ５２：一方の側面  ５４：他方の側面  ５６：第１取付溝部  ５８：第１隙間  ６０：第１圧入溝  ６２：第１貫通孔  ６４：第１嵌入部  ６６：第２取付溝部  ６８：第２隙間  ７０：第２圧入溝  ７２：第２貫通孔  ７４：第２嵌入部  ７６：第２小嵌入部  ７８：第３取付溝部  ８０：第３隙間  ８２：第３圧入溝  ８４：第３嵌入部  ８８：逃がし穴  ９０：第１コンタクト  ９２：第１コンタクト本体  ９４：第１接点部  ９６：第１凸部  ９８：第１接続部  １００：第１弾性部  １０２：第１圧入部  １０４：第１突起  １０６：第２コンタクト  １０８：第２コンタクト本体  １１０：第２接点部  １１２：第２凸部  １１４：第２接続部  １１６：第２弾性部  １１８：第２圧入部  １２０：第２突起  １２２：第２小突起  １２４：第３コンタクト  １２６：第３コンタクト本体  １２８：第３接点部  １３０：第３凸部  １３２：第３接続部  １３４：第３弾性部  １３６：第３圧入部  １３８：第３突起  １４０：第１開口  １４２：第１収容空間  １４４：第２開口  １４６：第２収容空間  １４８：細い溝部  １５０：第１案内部  １５１：第２案内部  １５２：第１インナーハウジング  １５４：第１前面  １５６：第１後面  １５８：第１上面  １６０：第１底面  １６２：一方の第１側面  １６４：他方の第１側面  １６５：第３貫通孔  １６６：第１係止突起  １６８：第２インナーハウジング  １７０：第２前面  １７２：第２後面  １７４：第２上面  １７６：第２底面  １７８：一方の第２側面  １８０：一方の開口部  １８２：他方の第２側面  １８４：他方の開口部  １９０：第４取付溝部  １９２：第４隙間  １９４：第４圧入溝  １９６：第４嵌入部  １９８：第５取付溝部  ２００：第５嵌入部  ２０２：第５小嵌入部  ２０４：第５圧入溝  ２０６：第５補助取付溝部  ２０８：第５補助嵌入部  ２１０：空洞部  ２１４：第２係止突起  ２１６：第４コンタクト  ２１８：第４コンタクト本体  ２２０：第４接点部  ２２２：第４凸部  ２２４：第４接続部  ２２６：第４弾性部  ２２８：第４圧入部  ２３０：第４突起  ２３２：第５コンタクト  ２３４：第５コンタクト本体  ２３６：第５接点部  ２３８：接触面  ２４０：傾斜部  ２４２：第５接続部  ２４４：第５弾性部  ２４６：第５圧入部  ２４８：第５突起  ２５０：第５小突起  ２５２：繋ぎ部  ２５４：第５補助弾性部  ２５６：第５補助突起
【図１】
2017045666.tif 000003
【図２】
2017045666.tif 000004
【図３】
2017045666.tif 000005
【図４】
2017045666.tif 000006
【図５】
2017045666.tif 000007
【図６】
2017045666.tif 000008
【図７】
2017045666.tif 000009
【図８】
2017045666.tif 000010
【図９】
2017045666.tif 000011
【図１０】
2017045666.tif 000012
【図１１】
2017045666.tif 000013
【図１２】
2017045666.tif 000014
【図１３】
2017045666.tif 000015
【図１４】
2017045666.tif 000016
【図１５】
2017045666.tif 000017
【図１６】
2017045666.tif 000018
【図１７】
2017045666.tif 000019
【図１８】
2017045666.tif 000020